(57)【要約】【課題】  暴風に対し合成樹脂製透明フィルム等の破損を防ぎ、果樹や資材の損傷を防止し、フィルム等張設作業の安全性を向上する。【解決手段】  縦パイプ３及び横パイプ４を格子状に配設して形成された骨組１、２と、両骨組１、２を左、右に傾斜して形成されたほぼ三角形状のハウス本体５と、両骨組１、２に重ねられ、縦線１０及び横線１１を格子状に配設し、各線１０、１１の交点を一体に溶着して形成された補強材９と、補強材９に重ねられた合成樹脂製透明防風ネット１３と、防風ネット１３に重ねられた合成樹脂製フィルム１４とを備える。【選択図】        図１
2005073545.tif 000002
【特許請求の範囲】
【請求項１】
縦パイプ及び横パイプを格子状に配設して形成された骨組と、
２個の前記骨組を左、右に傾斜して形成されたほぼ三角形状のハウス本体と、
前記骨組に重ねられ、縦線及び横線を格子状に配設し、前記各線の交点を一体に溶着して形成された補強材と、
該補強材に重ねられた合成樹脂製透明防風ネットと、
該防風ネットに重ねられた合成樹脂製透明フィルムと
を備えたことを特徴とする果樹用ハウス。
【請求項２】
骨組に補強材を金属線で結着したことを特徴とする請求項１記載の果樹用ハウス。
【請求項３】
補強材に嵌着用パイプを重ね、前記嵌着用パイプを前記補強材ないしは骨組に金属線で結着し、下側に開口が形成された樋状の嵌着具を、合成樹脂製透明防風ネット及び合成樹脂製透明フィルムを介して前記嵌着用パイプに嵌着し、前記フィルム及び前記防風ネットを前記補強材に張設したことを特徴とする請求項１または２記載の果樹用ハウス。
【請求項４】
骨組の縦パイプ及び横パイプが工事現場足場用約５０〜６０фの鉄パイプからなり、前記縦パイプの間隔が約１〜２ｍで、前記横パイプの間隔が約１．５〜３ｍであることを特徴とする請求項１、２または３記載の果樹用ハウス。
【請求項５】
補強材の縦線及び横線が約３〜７фの鉄線からなり、前記縦線の間隔及び前記横線の間隔が約１０〜３０cmであることを特徴とする請求項１、２、３または４記載の果樹用ハウス。
【請求項６】
合成樹脂製透明防風ネットが角約１mm×１mmないし角約数mm×数mmネットからなることを特徴とする請求項１、２、３、４または５記載の果樹用ハウス。
【発明の詳細な説明】
【技術分野】
【０００１】
本発明は、台風が比較的よく通過する地域に適した果樹用ハウスに関する。
【背景技術】
【０００２】
一般に農業用温室は、骨組の構造材に合成樹脂製フィルムを張設している。
【特許文献１】特開平１１−１２７７０１号公報
【発明の開示】
【発明が解決しようとする課題】
【０００３】
骨組の構造材に合成樹脂製フィルムを張設している温室の場合、台風が比較的よく通過する沖縄県等台風通過地域では、台風の暴風によりフィルムが破損し、温室内の植物及び資材が損傷する。とくに、バナナ、マンゴ等の果樹の場合、果樹用ハウスが比較的大型になるため、フィルムの破損が激しく、台風による風害や塩害により、果樹や資材の損害が甚大なものになる。
【０００４】
さらに、フィルム等の張設作業が困難であり、作業性が悪く、危険をともなうという問題点がある。
【０００５】
本発明は、前記の点に留意し、台風の暴風に対し合成樹脂製透明フィルム等の破損を防ぎ、果樹や資材の損傷を防止し、かつ、フィルム等の張設作業を容易にし、作業の安全性を向上した果樹用ハウスを提供することを目的とする。
【課題を解決するための手段】
【０００６】
前記課題を解決するために、本発明の果樹用ハウスは、
縦パイプ及び横パイプを格子状に配設して形成された骨組と、
２個の前記骨組を左、右に傾斜して形成されたほぼ三角形状のハウス本体と、
前記骨組に重ねられ、縦線及び横線を格子状に配設し、前記各線の交点を一体に溶着して形成された補強材と、
該補強材に重ねられた合成樹脂製透明防風ネットと、
該防風ネットに重ねられた合成樹脂製透明フィルムと
を備えたものである（請求項１）。
【０００７】
また、骨組に補強材を金属線で結着することが好ましい（請求項２）。
【０００８】
さらに、補強材に嵌着用パイプを重ね、前記嵌着用パイプを前記補強材ないしは骨組に金属線で結着し、下側に開口が形成された樋状の嵌着具を、合成樹脂製透明防風ネット及び合成樹脂製透明フィルムを介して前記嵌着用パイプに嵌着し、前記フィルム及び前記防風ネットを前記補強材に張設することが望ましい（請求項３）。
【０００９】
その上、骨組の縦パイプ及び横パイプが工事現場足場用約５０〜６０фの鉄パイプからなり、前記縦パイプの間隔が約１〜２ｍで、前記横パイプの間隔が約１．５〜３ｍであることが適している（請求項４）。
【００１０】
また、補強材の縦線及び横線が約３〜７фの鉄線からなり、前記縦線の間隔及び前記横線の間隔が約１０〜３０cmであることが好ましい（請求項５）。
【００１１】
さらに、合成樹脂製透明防風ネットが角約１mm×１mmないし角約数mm×数mmのネットからなることが望ましい（請求項６）。
【発明の効果】
【００１２】
本発明は、果樹用ハウスの骨組の縦パイプ及び横パイプに、一般の工事現場足場用の約５０〜６０фの鉄パイプを用いることができ、各パイプを足場用の結束金具により容易に連結し、骨組を格子状に簡単に形成できる。
【００１３】
また、骨組に重ねられる補強材が、縦線及び横線を格子状に配設し、各線の交点を一体に溶着して形成され、縦線及び横線が約３〜７фの鉄線からなり、縦線の間隔及び横線の間隔が約１０〜３０cmであり、建築用鉄鋼スチール、ワイヤーメッシュと称されるコンクリート補強の補強材を用いることができ、安価である。
【００１４】
さらに、骨組に補強材が、溶接でなく、ステンレス線等の金属線で結着されているため、骨組への補強材の取付及び分解が容易である。
【００１５】
その上、補強材に、合成樹脂製透明防風ネット及び合成樹脂製フィルムが重ねられ、骨組、補強材、防風ネット、フィルムの４層構成であり、風に対する強度がきわめて大であり、高価な防風ネットの傷みが風害から保護され、同時に、補強材及び防風ネットにより薄い安価なフィルムも補強されて保護され、防風ネット及びフィルムを長期間使用することができる。
【００１６】
さらに、２個の骨組が、左、右に傾斜してほぼ三角形状に形成されているため、台風の暴風をハウスの外面の下方から上方へ逃がすことができ、ハウスの損傷を防止することができ、果樹及び資材を保護することができる。
【００１７】
また、防風ネット及びフィルムの張設時、補強材の縦線の間隔が約１０〜３０cmであるため、補強材の横線に足をかけることができ、傾斜した骨組及び補強材の上部から下部へ、防風ネット及びフィルムを順次張設でき、張設作業が容易で安全であり、作業性が向上する。
【００１８】
さらに、補強材に嵌着用パイプが重ねられ、下側が開口した樋状の嵌着具を、防風ネット及びフィルムを介して嵌着用パイプに嵌着することにより、防風ネット及びフィルムを補強材に簡単に張設することができる。
【００１９】
しかも、嵌着用パイプも補強材ないしは骨組に金属線で結着されるため、取付及び分解が容易である。
【００２０】
また、防風ネットが角約１mm×１mmないし角約数mm×数mmのネットであるため、きわめて強靭である。
【発明を実施するための最良の形態】
【００２１】
本発明を実施するための最良の形態を、図１ないし図８を参照して説明する。それらの図において、１は左骨組、２は右骨組であり、両骨組１、２は、それぞれ複数本の縦パイプ３及び横パイプ４が格子状に配設されて形成されている。
【００２２】
これらのパイプ３、４は、例えばビル等建築の工事現場足場用の約５０〜６０фの鉄パイプであり、縦パイプ３の間隔は約１〜２ｍ、好しくは約１．５ｍ、横パイプ４の間隔は約１．５〜３ｍ、好ましくは約２ｍであり、各パイプ３、４の交点は、着脱自在の結束金具（図示せず）により強固に結合され、骨組１、２の形成、分解が容易になっている。
【００２３】
５はハウス本体であり、左骨組１、右骨組２が左側、右側に傾斜し、正面から見てほぼ三角形状になっている。
【００２４】
６は両骨組１、２の頂部を支持した中心パイプ、７は両骨組１、２の中間部を連結した連結パイプ、８は上端部が両骨組１、２の縦パイプ３の下端部を支持した下端パイプである。
【００２５】
９は補強材であり、複数本の縦線１０及び横線１１が格子状に配設され、各線１０、１１の交点が溶接により一体に溶着され、両線１０、１１は約３〜７ф、好ましくは約５фの鉄線からなり、縦線１０の間隔及び横線１１の間隔は約１０〜３０cm、好ましくは、約１５cmであり、建築用鉄鋼スチール、ワイヤーメッシュと称され、コンクリートに埋設されるコンクリート補強材である。
【００２６】
この補強材９は骨組１、２に重ねられ、ステンレス線等の金属線（図示せず）で結着されている。補強材９の骨組１、２への結合が溶接でないため、骨組１、２への補強材９の取付及び分解が容易である。
【００２７】
１２は嵌着用パイプであり、例えば約２０фの鉄パイプからなり、補強材９の縦線１０に沿って設けられ、ステンレス線等の金属線（図示せず）により、補強材９の縦線１０ないしは骨組１、２の縦パイプ３に結着されている。
【００２８】
１３は嵌着用パイプ１２を介して補強材９に重ねられた合成樹脂製透明防風ネットであり、角約１mm×１mmないし角約数mm×数mm、好ましくは角約２mm×２mmのネットからなり、強風に対する強度が大である。
【００２９】
１４は防風ネット１０に重ねられた農業用温室等に用いられる合成樹脂製透明フィルムである。
【００３０】
１５は下側に開口１６が形成された樋状の嵌着具であり、約１５cmの長さを有し、防風ネット１３及びフィルム１４を介して嵌着用パイプ１２に嵌着し、フィルム１４及び防風ネット１３を補強材９に張設している。嵌着具１５の取付間隔は１〜３ｍが好ましく、１．５ｍが最も適している。
【００３１】
１７は嵌着具１５の両端部内面に形成された短かい扁平な溝であり、嵌着具１５の取り外し時、溝１７にマイナスドライバ等の先端部を挿入し、嵌着具１５を嵌着用パイプ１２から取り外す。
【００３２】
前記形態において、果樹用ハウスが、ハウス本体５の骨組１、２、補強材９、防風ネット１３、フィルム１４からなる４層構造であり、風に対する強度がきわめて大であり、高価な防風ネット１３の傷みが風害から保護され、同時に、補強材９及び防風ネット１３により薄いフィルム１４も補強され、防風ネット１３、フィルム１４を長期間使用できる。
【００３３】
さらに、２個の骨組１、２が左、右に傾斜してほぼ三角形状に形成されているため、台風の暴風をハウスの外面に沿って下方から上方へ逃がすことができ、台風が比較的よく通過する沖縄県等台風通過地域のバナナ、マンゴ等の果樹及び資材を、ハウスにより保護することができる。
【００３４】
また、骨組１、２を形成する縦パイプ３、横パイプ４に、ビル建築等の工事現場足場用の鉄パイプを用いることができ、縦線１０、横線１１からなる補強材９に、建築用鉄鋼スチール、ワイヤーメッシュと称されるコンクリート補強の補強材を用いることができ、安価に構成できる。
【００３５】
その上、骨組１、２に補強材９が金属線で結着され、嵌着用パイプ１２が金属線で補強材９ないしは骨組み１、２に結着され、防風ネット１３及びフィルム１４が嵌着具１５により補強材９に張設されているため、防風ネット１３、フィルム１４を始め、ハウス全体５の構築及び解体が容易である。
【００３６】
さらに、防風ネット１３及びフィルム１４の張設に際し、補強材９の縦線１０の間隔が約１０〜３０cmであるため、横線１１に足を掛けることができ、傾斜した骨組１、２及び補強材７の上部から下部へ、防風ネット１３及びフィルム１４を順次張設でき、張設作業が容易で安全であり、作業性が向上する。
【図面の簡単な説明】
【００３７】
【図１】本発明の実施の形態の斜視図である。
【図２】図１の一部の正面図である。
【図３】図１の他の一部の拡大概略正面図である。
【図４】図１の補強材の一部の斜視図である。
【図５】図１の骨組に補強材を重ねた一部の斜視図である。
【図６】図１の一部の切断正面図である。
【図７】図１の一部の切断平面図である。
【図８】図１の嵌着具であり、Ａは斜視図、Ｂは一部の切断正面図、Ｃは右側面図である。
【符号の説明】
【００３８】
１  左骨組
２  右骨組
３  縦パイプ
４  横パイプ
５  ハウス本体
９  補強材
１０  縦線
１１  横線
１２  嵌着用パイプ
１３  合成樹脂製透明防風ネット
１４  合成樹脂製透明フィルム
１５  嵌着具
１６  開口
【図１】
2005073545.tif 000003
【図２】
2005073545.tif 000004
【図３】
2005073545.tif 000005
【図４】
2005073545.tif 000006
【図５】
2005073545.tif 000007
【図６】
2005073545.tif 000008
【図７】
2005073545.tif 000009
【図８】
2005073545.tif 000010